(57)【要約】【課題】  洗顔や手洗いを行いやすい蛇口を提供すること。【解決手段】  本発明の蛇口１００は、水道管と連結した且つ水を導入する管となる導入部３と、導入部３がその下部に接続され且つその内部空洞が前記導入部３の内部断面積よりも水面上昇が遅くなる大きな断面積を有する本体１と、当該本体１の上部に設けられ、短冊形状の吐出口４を横方向に設け、当該吐出口４が水平方向の上に向いている吐出部２とを備える。水道管に接続した管から本体１に導入された水は、内部断面積の大きな空洞において勢いが緩衝されて水面上昇が遅くなり、次第に水が溜まる。そして、吐出部２に至った水は、本体１上部の吐出口４から吐出される。吐出口４は上を向いており且つ横方向に短冊形状をしていることから、水は水平方向に放物線を描いて膜状に吐出され、洗顔や手洗いが行いやすくなる。【選択図】  図２
2014105552.tif 000002
【特許請求の範囲】
【請求項１】
水道管と連結し且つ水を導入する管となる導入部と、
導入部がその下部に接続され且つその内部空洞が前記導入部の内部断面積よりも水面上昇が遅くなる大きな断面積を有する本体と、
当該本体の上部に設けられ、短冊形状の吐出口を横方向に設け、当該吐出口が水平方向より上に向いている吐出部と、
を備えたことを特徴とする蛇口。
【請求項２】
前記吐出口は、水平方向から上方に１度以上８０度以下で傾斜していることを特徴とする請求項１に記載の蛇口。
【請求項３】
本体内部に、前記本体内部への水の流れ方向を略横方向又は下方向に向ける吐出方向変更手段を設けたことを特徴とする請求項１又は２に記載の蛇口。
【請求項４】
前記本体は、断面積が下方から上方にかけて大きくなることを特徴とする請求項１〜３のいずれか一つに記載の蛇口。
【発明の詳細な説明】
【技術分野】
【０００１】
本発明は、水を膜状に吐出することができる蛇口に関するものである。
【背景技術】
【０００２】
従来の洗面台に設置されている蛇口は、洗面台の上面の穴に取り付けられ、この蛇口の下部に水道管に連結したホースを接続した構造である。蛇口の水の吐出口は、本体部分の一部が洗面台の前方に延出した鶴首部の端部に設けられる。また、当該吐出口は、穴型やシャワー型のものが知られている。
【０００３】
蛇口の栓を開くと、水道管からホースを介して本体内に水が導入され、前記吐出口から下方に水が吐出される。ユーザは、この水で手洗いをし、また手にすくって洗顔する。なお、従来の蛇口としては、特許文献１に開示されているようなものが知られている。
【先行技術文献】
【特許文献】
【０００４】
【特許文献１】特開２００２−２０６２６３
【発明の概要】
【発明が解決しようとする課題】
【０００５】
しかしながら、従来の蛇口では、手を洗う際に吐出口から集中的に水が吐出されるので水がはねるし、手全体を洗い難いという問題点があった。また、洗顔する際は吐出する水を手ですくう等して洗顔しなければならず、面倒であった。この発明の係る問題点を解決するためになされたものである。
【課題を解決するための手段】
【０００６】
本発明の蛇口は、水道管と連結し且つ水を導入する管となる導入部と、導入部がその下部に接続され且つその内部空洞が前記導入部の内部断面積よりも水面上昇が遅くなる大きな断面積を有する本体と、当該本体の上部に設けられ、短冊形状の吐出口を横方向に設け、当該吐出口が略水平方向に向いている吐出部とを備えたことを特徴とする。
【０００７】
水道管に接続した管から本体に導入された水は、内部断面積の大きな空洞において勢いが緩衝されて水面上昇が遅くなり、次第に水が溜まる。そして、吐出部に至った水は、本体上部の吐出口から吐出される。吐出口は略水平方向を向いており且つ横方向に短冊形状をしていることから、水は水平方向に膜状に吐出される。水を膜状に吐出することで洗顔や手洗いが行いやすくなる。
【０００８】
前記吐出口は、水平方向から下方に１度以上４５度以下で傾斜させても良い。そのようにすれば、水平方向から下向きに角度を持たせることで水の膜が綺麗に洗面台等に落ちるようになる。
【０００９】
また、本体内部に、前記本体内部への水の流れ方向を略横方向又は下方向に向ける吐出方向変更手段を設けても良い。水の流れ方向を略横方向又は下方向に向けることで本体内に勢いよく導入された水の流れが本体側方に変えられる。このため、水が噴きあがって吐出部にぶつかり当該吐出口からしぶきがでるのを防止できる。吐出方向変更手段には、例えば本体内に設けた壁、導入部の端部を横方向又は下方向に向けた構成が含まれる。
【００１０】
また、前記本体は、断面積が下方から上方にかけて大きくなるようにしても良い。断面積が下方から上方にかけて大きくなることで、水の液面がゆっくり上昇するので、吐出口から吐出する水がゆっくりと滑らかになる。これにより、滝のような水の綺麗な膜を形成できる。
【図面の簡単な説明】
【００１１】
【図１】この発明の実施の形態１に係る蛇口を示す斜視図である。
【図２】図１に示した蛇口を洗面台に固定した場合を示す断面構成図である。
【図３】図１に示した蛇口を示す断面図である。
【図４】この蛇口の動作を示す説明図である。
【図５】図１に示した蛇口の変形例を示す一部断面図である。
【図６】図１に示した蛇口の他の変形例を示す一部断面図である。
【図７】この発明の実施の形態２に係る蛇口を示す説明図である。
【発明を実施するための形態】
【００１２】
（実施の形態１）
図１は、この発明の実施の形態１に係る蛇口を示す斜視図である。図２は、図１に示した蛇口を洗面台に固定した場合を示す構成図である。図３は、図１に示した蛇口を示す断面図である。この蛇口１００は、洗面台１０１に設けられるものであり、内部が空洞の本体１と、本体１の上部に設けた吐出部２とから構成されている。本体１は、洗面台１０１の上面に対して固定されている。本体１は、略円筒状であり上方に直立して設けられている。本体１の下端には、水道管や当該水道管５０に接続したホース５０に連結した管からなる導入部３が設けられている。
【００１３】
本体１の水平方向の内部断面積は、導入管３から本体１内に水が導入されたときに当該水の噴出或いは水面上昇速度を低下させるような断面積であり、具体的には、標準的な水道管又はホース５０の水平方向の内部断面積の２倍以上１０倍以下である。好ましくは、３倍以上５倍以下とする。この導入部３には、水道管（図示省略）に連結したホース５０が接続されている。本体１は、ステンレス製、プラスチック製のいずれでも良い。水道管及びホース５０は、洗面台１０１に内設される。
【００１４】
本体１の高さは、本体１の下端（導入部３との接続面３ａ）から上記吐出部２の頂部２ａまでの長さが２００ｍｍ以上７００ｍｍ以下とするのが好ましい。本体１は、同図に示すように上方の断面積を下方の断面積より大きくする。これにより、水面が上がるにつれてその上昇速度が弱くなり、吐出部２に至るまでには十分に水面の上昇速度が低くなる。なお、水面上昇速度を一定に低く保つのであれば、上下で同じ断面積（導入管３の断面積より十分大きい）とすることもできる。また、前記吐出口４の横幅は、５０ｍｍ以上２００ｍｍ以下とするのが好ましい。
【００１５】
前記吐出部２は、長手方向が水平方向を向いた短冊形状の吐出口４と、吐出口４を水平方向に対して所定角度上方に傾けるように形成したヘッド部５とからなる。ヘッド部５の内面は水を滑らかに流せるように緩やかな曲面により構成される。図３（ｂ）に示すように、吐出口４の吐出方向Ａの傾斜角度Ｄ１は、水平方向Ｈに対して１度以上８０度以下とするのが好ましく、１５度以上６０度以下とするのが好ましい。吐出方向Ａを１度以上８０度以下、好ましくは１５度以上６０度以下とすることで、吐出した水の膜が蛇口１００より上に水の膜を形成することになるから、ユーザが蛇口１００に接触することなく、洗顔や手洗いができる。
【００１６】
本体１内部面の前記吐出口４の周囲近傍は、水の切れを良くすると共に吐出した水の流れ面が乱れ難いように研磨加工を施すのが好ましい。具体的には、Ｒｍａｘ０．０５ｓ〜６．３ｓの範囲とする。好ましくは、０．０５ｓ〜０．８ｓとする。また、吐出方向Ａに対して吐出面４１が９０度以上の角度Ｄ２となる。角部５ａは半径１ｍｍ程度の尖った形状とする。これにより、水の切れが良くなり、且つ、水の膜面が綺麗に形成できる。
【００１７】
導入部３には、穴、パッキン、螺子構造等の公知の構造からなる栓６が設けられる。回転式のハンドル７は、栓６と機構８により連結した状態で洗面台１０１の上面に取り付けられる。また、ヘッド部５にハンドル７を設け、このハンドル７にロッドを設け、ロッドの下端を栓６と連結しても良い（図示省略）。なお、ハンドル７の形式はどのようなものでも良い。
【００１８】
次に、この蛇口１００の動作について説明する。ハンドル７を回転させることで水が導入部３から本体１内に導入される。本体１の断面積は、導入部３の断面積より大きくなっているから当該本体１に導入された水は、図４（ａ）に示すように、本体１の中に次第に溜めこまれるようになる。一定時間の経過により本体１内は水で満たされる。本体１は上方向に長尺に垂設されているので、水は導入時の勢いが緩衝されて本体１の空洞内に緩やかに溜まり、図４（ｂ）に示すように、上部の液面は比較的安定した状態で上昇する。また、上方の断面積が大きいので水面の上昇速度は次第に遅くなる。
【００１９】
そして、液面がヘッド部５に至り、図４（ｃ）に示すように、吐出口４から水が吐出される。吐出口４は矩形であり長尺方向が水平方向に形成されている。また、吐出口４は水平方向から上方に所定角度傾いているので、吐出口４から水が斜め上に向かって膜状に吐出される。即ち、吐出口４より高い位置まで吐出され、放物線を描くようにして水の膜が滝のように流れ落ちる。また、吐出口４の周囲は水の切れが良く、且つ、表面を研磨により滑らかにしているので、吐出した水の膜が綺麗に形成される。また、本体１の空洞内での水面上昇の速度は緩やかであるから、吐出部２では水の動きが緩慢となり、前記水の膜は乱れが少ない綺麗なものとなる。ユーザは、この水の膜の面が均一で綺麗に流れる水流に対して顔や手をかざして顔や手を洗う。
【００２０】
以上、この発明の蛇口１００によれば、滑らかな水の膜がユーザ側に放物線を描いて滝のように吐出されるので、肌にやさしく水があたり、気持ちよく洗顔や手洗いができる。なお、使用用途は、洗顔及び手洗いに限定されず、キッチン台に取り付けることで食器洗いに用いることもできる。
【００２１】
図５は、上記蛇口の変形例を示す一部断面図である。この蛇口１５０では、図５（ａ）に示すように、上記導入部３の導入口であって当該導入部３からの流れ方向上に壁１０ａを設ける。壁１０ａを設けることで蛇口１５０のハンドル７を一気に開放して水が勢いよく本体１内に吐出されても当該壁１０ａに衝突して横方向に流れが変更される。このため、吐出部２まで噴きあがり開口部から水滴が飛び出るのを防止できる。壁１０ａは、図５に示したように本体１の空洞の底面から足１１により支持しても良いし、或いは側面から突出させても良い。
【００２２】
また、図５（ｂ）に示すように、蛇口１５２の導入部３の端部３ａをそのまま本体１内に突出させ、この導入部３の当該端部３ａを本体１内の横方向に約９０度曲げて導入口を横に向けた構成としても良い。また、図示ないが、前記導入口を横方向の左右に向けても良い。更に、図５（ｃ）に示すように、本体１内に突出させた導入部３の端部３ｂを略逆方向に折り曲げて導入口を下方向に向けた構造としても良い。このようにすることで、水が勢いよく本体１内に吐出されても横方向に流れが変更される。このため、吐出部２まで噴きあがり開口部から水滴が飛び出るのを防止できる。
【００２３】
図６は、上記蛇口の他の変形例を示す一部断面図である。この蛇口１６０は、吐出部２を球状湾曲面１６１により本体１と揺動可能に連結した構造である。係る構造によれば、吐出部２を球状湾曲面１６１に沿って揺動させて前記吐出口４の水平方向に対する角度を微調整できるようになる。また、吐出部２を垂直方向を軸として回転できるようになる。
【００２４】
（実施の形態２）
図７は、この発明の実施の形態２に係る蛇口を示す説明図である。この蛇口２００では、導入部２０３が洗面台１０１の上方に突出し、本体２０１の下端に接続された構造である。導入部２０３から導出される水の流れ方向上には壁１０ａが設けられる。この壁１０ａは、導入部２０３の軸方向に対して略垂直方向に設けられる。導入部２０３の下端は、洗面台１０１の内部で水道管５０又はホース５０に接続される。また、導入部２０３の洗面台１０１の上側には栓２０６が設けられる。栓２０６は、ハンドル２０７により開閉可能である。その他の構成は実施の形態１と同じであるからその説明を省略する。
【００２５】
この蛇口２００においても、栓２０６を開放することで導入部２０３から本体２０１に水が導入される。本体２０１に導入された水は、壁１０ａに当たって本体２０１の側方に流れ方向を変えられる。これにより、勢いのある水が吐出部２に当たって吐出口４からしぶきがでるのを防止できる。そして、本体２０１に導入された水は、断面積の大きな当該本体２０１で勢いが緩められ次第に溜まり、液面が上昇する。そして、吐出部２から水が膜状に吐出される。吐出口４の周囲は水の切れが良く、且つ、表面を研磨により滑らかにしているので、吐出した水の膜は放物線を描いて滝のように綺麗に流れ落ちる。ユーザは、この水の膜の面が均一で綺麗に流れる水流に対して顔や手をかざして顔や手を洗う。
【００２６】
係る構成の蛇口２００においても、滑らかな水の膜がユーザ側に滝のように吐出されるので、肌にやさしく水があたり、気持ちよく洗顔や手洗うことができる。
【符号の説明】
【００２７】
１００  蛇口
１  本体
２  吐出部
３  導入部
４  吐出口
５  ヘッド部
６  栓
１０１  洗面台
【図１】
2014105552.tif 000003
【図２】
2014105552.tif 000004
【図３】
2014105552.tif 000005
【図４】
2014105552.tif 000006
【図５】
2014105552.tif 000007
【図６】
2014105552.tif 000008
【図７】
2014105552.tif 000009
【手続補正書】
【提出日】平成25年2月15日(2013.2.15)
【手続補正１】
【補正対象書類名】明細書
【補正対象項目名】全文
【補正方法】変更
【補正の内容】
【発明の詳細な説明】
【技術分野】
【０００１】
本発明は、水を膜状に吐出することができる洗面台用蛇口に関するものである。
【背景技術】
【０００２】
従来の洗面台に設置されている蛇口は、洗面台の上面の穴に取り付けられ、この蛇口の下部に水道管に連結したホースを接続した構造である。蛇口の水の吐出口は、本体部分の一部が洗面台の前方に延出した鶴首部の端部に設けられる。また、当該吐出口は、穴型やシャワー型のものが知られている。
【０００３】
蛇口の栓を開くと、水道管からホースを介して本体内に水が導入され、前記吐出口から下方に水が吐出される。ユーザは、この水で手洗いをし、また手にすくって洗顔する。なお、従来の蛇口としては、特許文献１に開示されているようなものが知られている。
【先行技術文献】
【特許文献】
【０００４】
【特許文献１】特開２００２−２０６２６３
【発明の概要】
【発明が解決しようとする課題】
【０００５】
しかしながら、従来の蛇口では、手を洗う際に吐出口から集中的に水が吐出されるので水がはねるし、手全体を洗い難いという問題点があった。また、洗顔する際は吐出する水を手ですくう等して洗顔しなければならず、面倒であった。この発明は、係る問題点を解決するためになされたものである。
【課題を解決するための手段】
【０００６】
本発明の洗面台用蛇口は、水道管と連結し且つ水を導入する管となる導入部と、導入部がその下部に接続され且つその内部空洞が前記導入部の内部断面よりも水面上昇が遅くなる大きな断面積を有する本体と、当該本体の上部に設けられ、周囲近傍が研磨加工された短冊形状で且つ角部の吐出方向断面が尖った形状である吐出口が横方向に設けられ、当該吐出口が水平方向より上に向けられている吐出部と、を備えたことを特徴とする。
【０００７】
水道管に接続した管から本体に導入された水は、内部断面積の大きな空洞において勢いが緩衝されて水面上昇が遅くなり、次第に水が溜まる。そして、吐出部に至った水は、本体上部の吐出口から吐出される。吐出口は略水平方向を向いており且つ横方向に短冊形状をしていることから、水は水平方向に膜状に吐出される。水を膜状に吐出することで洗顔や手洗いが行いやすくなる。
【０００８】
前記吐出口は、水平方向から上方に１度以上８０度以下で傾斜させても良い。そのようにすれば、水平方向から上向きに、適度な角度を持たせることで水の膜が綺麗に洗面台等に落ちるようになる。
【０００９】
また、本体内部に、前記本体内部への水の流れ方向を略横方向又は下方向に向ける吐出方向変更手段を設けても良い。水の流れ方向を略横方向又は下方向に向けることで本体内に勢いよく導入された水の流れが本体側方に変えられる。このため、水が噴きあがって吐出部にぶつかり当該吐出口からしぶきがでるのを防止できる。吐出方向変更手段には、例えば本体内に設けた壁、導入部の端部を横方向又は下方向に向けた構成が含まれる。
【００１０】
また、前記本体は、断面積が下方から上方にかけて大きくなるようにしても良い。断面積が下方から上方にかけて大きくなることで、水の液面がゆっくり上昇するので、吐出口から吐出する水がゆっくりと滑らかになる。これにより、滝のような水の綺麗な膜を形成できる。
【図面の簡単な説明】
【００１１】
【図１】この発明の実施の形態１に係る洗面台用蛇口を示す斜視図である。
【図２】図１に示した洗面台用蛇口を洗面台に固定した場合を示す断面構成図である。
【図３】図１に示した洗面台用蛇口を示す断面図である。
【図４】この洗面台用蛇口の動作を示す説明図である。
【図５】図１に示した洗面台用蛇口の変形例を示す一部断面図である。
【図６】図１に示した洗面台用蛇口の他の変形例を示す一部断面図である。
【図７】この発明の実施の形態２に係る洗面台用蛇口を示す説明図である。
【発明を実施するための形態】
【００１２】
（実施の形態１）
図１は、この発明の実施の形態１に係る洗面台用蛇口を示す斜視図である。図２は、図１に示した洗面台用蛇口を洗面台に固定した場合を示す構成図である。図３は、図１に示した洗面台用蛇口口を示す断面図である。この洗面台用蛇口１００は、洗面台１０１に設けられるものであり、内部が空洞の本体１と、本体１の上部に設けた吐出部２とから構成されている。本体１は、洗面台１０１の上面に対して固定されている。本体１は、略円筒状であり上方に直立して設けられている。本体１の下端には、水道管や当該水道管５０に接続したホース５０に連結した管からなる導入部３が設けられている。
【００１３】
本体１の水平方向の内部断面積は、導入管３から本体１内に水が導入されたときに当該水の噴出或いは水面上昇速度を低下させるような断面積であり、具体的には、標準的な水道管又はホース５０の水平方向の内部断面積の２倍以上１０倍以下である。好ましくは、３倍以上５倍以下とする。この導入部３には、水道管（図示省略）に連結したホース５０が接続されている。本体１は、ステンレス製、プラスチック製のいずれでも良い。水道管及びホース５０は、洗面台１０１に内設される。
【００１４】
本体１の高さは、本体１の下端（導入部３との接続面３ａ）から上記吐出部２の頂部２ａまでの長さが２００ｍｍ以上７００ｍｍ以下とするのが好ましい。本体１は、同図に示すように上方の断面積を下方の断面積より大きくする。これにより、水面が上がるにつれてその上昇速度が弱くなり、吐出部２に至るまでには十分に水面の上昇速度が低くなる。なお、水面上昇速度を一定に低く保つのであれば、上下で同じ断面積（導入管３の断面積より十分大きい）とすることもできる。また、前記吐出口４の横幅は、５０ｍｍ以上２００ｍｍ以下とするのが好ましい。
【００１５】
前記吐出部２は、長手方向が水平方向を向いた短冊形状の吐出口４と、吐出口４を水平方向に対して所定角度上方に傾けるように形成したヘッド部５とからなる。ヘッド部５の内面は水を滑らかに流せるように緩やかな曲面により構成される。図３（ｂ）に示すように、吐出口４の吐出方向Ａの傾斜角度Ｄ１は、水平方向Ｈに対して１度以上８０度以下とするのが好ましく、１５度以上６０度以下とするのが好ましい。吐出方向Ａを１度以上８０度以下、好ましくは１５度以上６０度以下とすることで、吐出した水の膜が洗面台用蛇口１００より上に水の膜を形成することになるから、ユーザが洗面台用蛇口１００に接触することなく、洗顔や手洗いができる。
【００１６】
本体１内部面の前記吐出口４の周囲近傍は、水の切れを良くすると共に吐出した水の流れ面が乱れ難いように研磨加工を施すのが好ましい。具体的には、Ｒｍａｘ０．０５ｓ〜６．３ｓの範囲とする。好ましくは、０．０５ｓ〜０．８ｓとする。また、吐出方向Ａに対して吐出面４１が９０度以上の角度Ｄ２となる。角部５ａは半径１ｍｍ程度の尖った形状とする。これにより、水の切れが良くなり、且つ、水の膜面が綺麗に形成できる。
【００１７】
導入部３には、穴、パッキン、螺子構造等の公知の構造からなる栓６が設けられる。回転式のハンドル７は、栓６と機構８により連結した状態で洗面台１０１の上面に取り付けられる。また、ヘッド部５にハンドル７を設け、このハンドル７にロッドを設け、ロッドの下端を栓６と連結しても良い（図示省略）。なお、ハンドル７の形式はどのようなものでも良い。
【００１８】
次に、この洗面台用蛇口１００の動作について説明する。ハンドル７を回転させることで水が導入部３から本体１内に導入される。本体１の断面積は、導入部３の断面積より大きくなっているから当該本体１に導入された水は、図４（ａ）に示すように、本体１の中に次第に溜めこまれるようになる。一定時間の経過により本体１内は水で満たされる。本体１は上方向に長尺に垂設されているので、水は導入時の勢いが緩衝されて本体１の空洞内に緩やかに溜まり、図４（ｂ）に示すように、上部の液面は比較的安定した状態で上昇する。また、上方の断面積が大きいので水面の上昇速度は次第に遅くなる。
【００１９】
そして、液面がヘッド部５に至り、図４（ｃ）に示すように、吐出口４から水が吐出される。吐出口４は矩形であり長尺方向が水平方向に形成されている。また、吐出口４は水平方向から上方に所定角度傾いているので、吐出口４から水が斜め上に向かって膜状に吐出される。即ち、吐出口４より高い位置まで吐出され、放物線を描くようにして水の膜が滝のように流れ落ちる。また、吐出口４の周囲は水の切れが良く、且つ、表面を研磨により滑らかにしているので、吐出した水の膜が綺麗に形成される。また、本体１の空洞内での水面上昇の速度は緩やかであるから、吐出部２では水の動きが緩慢となり、前記水の膜は乱れが少ない綺麗なものとなる。ユーザは、この水の膜の面が均一で綺麗に流れる水流に対して顔や手をかざして顔や手を洗う。
【００２０】
以上、この発明の洗面台用蛇口１００によれば、滑らかな水の膜がユーザ側に放物線を描いて滝のように吐出されるので、肌にやさしく水があたり、気持ちよく洗顔や手洗いができる。なお、使用用途は、洗顔及び手洗いに限定されず、キッチン台に取り付けることで食器洗いに用いることもできる。
【００２１】
図５は、上記洗面台用蛇口の変形例を示す一部断面図である。この洗面台用蛇口１５０では、図５（ａ）に示すように、上記導入部３の導入口であって当該導入部３からの流れ方向上に壁１０ａを設ける。壁１０ａを設けることで洗面台用蛇口１５０のハンドル７を一気に開放して水が勢いよく本体１内に吐出されても当該壁１０ａに衝突して横方向に流れが変更される。このため、吐出部２まで噴きあがり開口部から水滴が飛び出るのを防止できる。壁１０ａは、図５に示したように本体１の空洞の底面から足１１により支持しても良いし、或いは側面から突出させても良い。
【００２２】
また、図５（ｂ）に示すように、洗面台用蛇口１５２の導入部３の端部３ａをそのまま本体１内に突出させ、この導入部３の当該端部３ａを本体１内の横方向に約９０度曲げて導入口を横に向けた構成としても良い。また、図示ないが、前記導入口を横方向の左右に向けても良い。更に、図５（ｃ）に示すように、本体１内に突出させた導入部３の端部３ｂを略逆方向に折り曲げて導入口を下方向に向けた構造としても良い。このようにすることで、水が勢いよく本体１内に吐出されても横方向に流れが変更される。このため、吐出部２まで噴きあがり開口部から水滴が飛び出るのを防止できる。
【００２３】
図６は、上記洗面台用蛇口の他の変形例を示す一部断面図である。この洗面台用蛇口１６０は、吐出部２を球状湾曲面１６１により本体１と揺動可能に連結した構造である。係る構造によれば、吐出部２を球状湾曲面１６１に沿って揺動させて前記吐出口４の水平方向に対する角度を微調整できるようになる。また、吐出部２を垂直方向を軸として回転できるようになる。
【００２４】
（実施の形態２）
図７は、この発明の実施の形態２に係る洗面台用蛇口を示す説明図である。この洗面台用蛇口２００では、導入部２０３が洗面台１０１の上方に突出し、本体２０１の下端に接続された構造である。導入部２０３から導出される水の流れ方向上には壁１０ａが設けられる。この壁１０ａは、導入部２０３の軸方向に対して略垂直方向に設けられる。導入部２０３の下端は、洗面台１０１の内部で水道管５０又はホース５０に接続される。また、導入部２０３の洗面台１０１の上側には栓２０６が設けられる。栓２０６は、ハンドル２０７により開閉可能である。その他の構成は実施の形態１と同じであるからその説明を省略する。
【００２５】
この洗面台用蛇口２００においても、栓２０６を開放することで導入部２０３から本体２０１に水が導入される。本体２０１に導入された水は、壁１０ａに当たって本体２０１の側方に流れ方向を変えられる。これにより、勢いのある水が吐出部２に当たって吐出口４からしぶきがでるのを防止できる。そして、本体２０１に導入された水は、断面積の大きな当該本体２０１で勢いが緩められ次第に溜まり、液面が上昇する。そして、吐出部２から水が膜状に吐出される。吐出口４の周囲は水の切れが良く、且つ、表面を研磨により滑らかにしているので、吐出した水の膜は放物線を描いて滝のように綺麗に流れ落ちる。ユーザは、この水の膜の面が均一で綺麗に流れる水流に対して顔や手をかざして顔や手を洗う。
【００２６】
係る構成の洗面台用蛇口２００においても、滑らかな水の膜がユーザ側に滝のように吐出されるので、肌にやさしく水があたり、気持ちよく洗顔や手洗うことができる。
【符号の説明】
【００２７】
１００  洗面台用蛇口
１  本体
２  吐出部
３  導入部
４  吐出口
５  ヘッド部
６  栓
１０１  洗面台
【手続補正２】
【補正対象書類名】特許請求の範囲
【補正対象項目名】全文
【補正方法】変更
【補正の内容】
【特許請求の範囲】
【請求項１】
水道管と連結し且つ水を導入する管となる導入部と、
導入部がその下部に接続され且つその内部空洞が前記導入部の内部断面よりも水面上昇が遅くなる大きな断面積を有する本体と、
当該本体の上部に設けられ、周囲近傍が研磨加工された短冊形状で且つ角部の吐出方向断面が尖った形状である吐出口が横方向に設けられ、当該吐出口が水平方向より上に向けられている吐出部と、を備えたことを特徴とする洗面台用蛇口。
【請求項２】
前記本体は、内部が上方向に長尺に垂設されていて、前記吐出口は、水平方向から上方に１度以上８０度以下で傾斜していることを特徴とする請求項１に記載の洗面台用蛇口。
【請求項３】
本体内部に、前記本体内部への水の流れ方向を略横方向又は下方向に向ける吐出方向変更手段を設けたことを特徴とする請求項１又は２に記載の洗面台用蛇口。
【請求項４】
前記本体は、断面積が下方から上方にかけて大きくなることを特徴とする請求項１〜３のいずれか一つに記載の洗面台用蛇口。
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
水道管と連結し且つ水を導入する管となる導入部と、
導入部がその下部に接続され且つその内部空洞が前記導入部の内部断面よりも水面上昇が遅くなる大きな断面積を有する本体と、
当該本体の上部に設けられ、周囲近傍に研磨加工を施した短冊形状の吐出口が横方向に設けられ、当該吐出口は、吐出方向断面における前記吐出方向に対して９０度以上の角度をもつ吐出面を有すると共に、水平方向に対して所定角度上方に傾けられている吐出部と、を備えたことを特徴とする洗面台用蛇口。
【請求項２】
前記本体は、上方向に長尺に垂設されていて、前記吐出口は、水平方向から上方に１度以上８０度以下で傾斜していることを特徴とする請求項１に記載の洗面台用蛇口。
【請求項３】
本体内部に、前記本体内部への水の流れ方向を略横方向又は下方向に向ける吐出方向変更手段を設けたことを特徴とする請求項１又は２に記載の洗面台用蛇口。
【請求項４】
前記本体は、断面積が下方から上方にかけて大きくなることを特徴とする請求項１〜３のいずれか一つに記載の洗面台用蛇口。